(57)【要約】【課題】  複数の楽器パートからなる楽曲に合わせて楽器演奏を行う演奏者に対して、所望の楽器パートの演奏を強調して聴取させる。【解決手段】  演奏者が演奏を行う特定の演奏エリアにのみ可聴音を到達させる指向性スピーカ１１と、広範囲に可聴音を到達させる一般的なオーディオスピーカ１２と、複数の演奏データの中から所望の楽器に対応した演奏データを選択する演奏データ選択手段１３と、複数の演奏データに基づく演奏音のそれぞれの出音先スピーカの振分制御を行う出音制御手段１４と、を備える。出音制御手段１４は、選択された演奏データに基づく演奏音を指向性スピーカ１１から出音させる制御を行う。また、出音制御手段１４は、選択された演奏データに基づく演奏音が一般的なオーディオスピーカ１２から出音されないように制御を行ってもよい。【選択図】  図１
2008187549.tif 000002
【特許請求の範囲】
【請求項１】
複数の楽器にそれぞれ対応した複数の演奏データに基づく演奏音を出音することにより楽曲の演奏を行うと共に、当該楽曲に合わせて所望の楽器演奏を行う演奏者を補助するための楽器演奏アシストシステムであって、
前記演奏者が演奏を行う特定の演奏エリアにのみ可聴音を到達させる指向性スピーカと、
広範囲に可聴音を到達させる一般的なオーディオスピーカと、
前記複数の演奏データの中から所望の楽器に対応した演奏データを選択する演奏データ選択手段と、
前記複数の演奏データに基づく演奏音のそれぞれの出音先スピーカの振分制御を行う出音制御手段と、
を備え、
前記出音制御手段は、前記選択された演奏データに基づく演奏音を前記指向性スピーカから出音させる制御を行うことを特徴とする楽器演奏アシストシステム。
【請求項２】
前記出音制御手段は、前記選択された演奏データに基づく演奏音が前記一般的なオーディオスピーカから出音されないように制御を行うことを特徴とする請求項１に記載の楽器演奏アシストシステム。
【発明の詳細な説明】
【技術分野】
【０００１】
本発明は、複数の楽器パートからなる楽曲に合わせて楽器演奏を行う演奏者に対して、所望の楽器パートの演奏を強調して聴取させることが可能な楽器演奏アシストシステムに関するものである。
【背景技術】
【０００２】
近年、カラオケ装置で演奏可能な楽曲の多様化や高品位化等が進んでいる。例えば、近年のカラオケ装置で演奏される楽曲は、音源としてＭＩＤＩ（登録商標）シンセサイザを用いて再生される。このＭＩＤＩシンセサイザでは、各楽曲データが複数のチャンネルから成り立っており、チャンネル毎にそれぞれ異なる楽器の演奏データが割り当てられている。そして、複数のスピーカから出音する際に、各チャンネルが使用するスピーカを指定したり、各スピーカの出力割合を調整したりすることができるようになっている。
【０００３】
このように、カラオケ装置で演奏可能な楽曲の多様化や高品位化等が進んだ結果、カラオケボックス等に設置されたカラオケ装置を利用して楽器演奏の練習を行う人が増加している。具体的には、カラオケボックスに所望の楽器を持参し、カラオケ装置で演奏される楽曲に合わせて自らが楽器を演奏し、他の楽器パートとの競演を楽しむというカラオケ装置の利用方法が普及し始めている。
【０００４】
このようなカラオケ装置の利用方法では、演奏が上達するまでの間、模範演奏を聴いて演奏方法を学んだり、模範演奏を聴きながら自ら持参した楽器を演奏したりする。この際、自らが持参した楽器の演奏音を強調して聴き取ることができれば、当該楽器の演奏態様を容易に把握することができる。
【０００５】
ところで、スピーカに関する技術として、出力する音を分散させずに所定の方向にのみ伝達する指向性スピーカがある。そして、この指向性スピーカを利用して歌唱指導を行うことができるカラオケ装置が開示されている（特許文献１参照）。この特許文献１に記載された技術は、カラオケ本体に設けた歌唱指導情報出力用端子に指向性スピーカを接続し、この指向性スピーカから模範歌唱を出音させるようにしたものである。
【０００６】
また、ビーム制御可能な指向性スピーカを用いて、複数のテーブル毎に聴き取ることができる音声を区別することが可能なカラオケ装置が開示されている（特許文献２参照）。この特許文献２に記載された技術は、指向性スピーカから出音される音声をビーム制御して、歌唱者の音声は、歌唱者及びそのグループのテーブルでのみ聴き取れるようにし、それ以外のテーブルでは伴奏音と共にガイドボーカルを聴くことができるようにしたものである。
【０００７】
【特許文献１】特開平１０−３２９２号公報
【特許文献２】特開２００５−１７３１３７号公報
【発明の開示】
【発明が解決しようとする課題】
【０００８】
上述したように、模範演奏を聴きながら自ら持参した楽器を演奏する際には、当該楽器の演奏音を強調して聴き取れるようにすることが好ましい。特定の楽器の演奏音を強調するための方法として、例えば、複数のチャンネルに割り当てられた楽器パートの演奏データの中から所望の演奏データを指定し、この演奏データに基づく演奏音の出力音量を他の演奏データに基づく演奏音の出力音量と比較して大きく設定することが考えられる。
【０００９】
しかし、複数の演奏者が同時に複数の楽器を演奏したい場合に、各演奏者が自らの楽器に対応する演奏データに基づく演奏音の出力音量を大きく設定すると、複数の楽器の演奏音が混在して、自らの楽器の演奏音を強調して聴き取るという当初の目的を達成することができない。
この点、指向性スピーカを用いて特定の者のみに所望の音声を聴き取らせる技術として、上述した特許文献１及び特許文献２に記載された技術がある。
【００１０】
しかし、上述した特許文献１に記載された技術は、歌唱者に模範歌唱を聴かせるための技術であり、複数の演奏データの中から所望の演奏データを選択し、当該演奏データを強調して演奏することはできない。また、上述した特許文献２に記載された技術は、特定のグループのみに歌唱音声を聴かせるための技術であり、複数の演奏データの中から所望の演奏データを選択し、当該演奏データを強調して演奏することはできない。
【００１１】
本発明は、上述した事情に鑑み提案されたもので、複数の楽器パートからなる楽曲に合わせて楽器演奏を行う演奏者に対して、所望の楽器パートの演奏を強調して聴取させることが可能な楽器演奏アシストシステムを提供することを目的とする。
【課題を解決するための手段】
【００１２】
本発明の楽器演奏アシストシステムは、上述した目的を達成するため、以下の特徴点を備えている。
本発明の楽器演奏アシストシステムは、複数の楽器にそれぞれ対応した複数の演奏データに基づく演奏音を出音することにより楽曲の演奏を行うと共に、当該楽曲に合わせて所望の楽器演奏を行う演奏者を補助するための楽器演奏アシストシステムである。
【００１３】
この楽器演奏アシストシステムは、演奏者が演奏を行う特定の演奏エリアにのみ可聴音を到達させる指向性スピーカと、広範囲に可聴音を到達させる一般的なオーディオスピーカと、複数の演奏データの中から所望の楽器に対応した演奏データを選択する演奏データ選択手段と、複数の演奏データに基づく演奏音のそれぞれの出音先スピーカの振分制御を行う出音制御手段と、を備えている。そして、出音制御手段は、選択された演奏データに基づく演奏音を指向性スピーカから出音させる制御を行うことを特徴とするものである。
このような構成からなる楽器演奏アシストシステムでは、演奏者が所望の楽器パートを指定すると、この楽器パートに対応した演奏データに基づく演奏音が指向性スピーカから出音される。
【００１４】
また、出音制御手段は、選択された演奏データに基づく演奏音が一般的なオーディオスピーカから出音されないように制御を行うことが可能である。
このような構成からなる楽器演奏アシストシステムでは、演奏者が所望の楽器パートを指定すると、この楽器パートに対応した演奏データに基づく演奏音が指向性スピーカから出音されると共に、一般的なオーディオスピーカから当該楽器パートを除いた他の楽器パートの演奏データに基づく演奏音が出音される。
【００１５】
なお、本発明の楽器演奏アシストシステムにおいて、楽器パートに対応した演奏データの数、指向性スピーカ及び一般的なオーディオスピーカの数は特に限定されない。
【発明の効果】
【００１６】
本発明の楽器演奏アシストシステムによれば、演奏者が指定した楽器パートの演奏データに基づく演奏音が、当該演奏者が演奏を行う特定の演奏エリアにのみ可聴音を到達させる指向性スピーカから出音される。
したがって、複数の楽器パートからなる楽曲に合わせて楽器演奏を行う演奏者に対して、所望の楽器パートの演奏を強調して聴取させることが可能となる。
【００１７】
また、広範囲に可聴音を到達させる一般的なオーディオスピーカから、演奏者が指定した楽器パートの演奏データに基づく演奏音が出音されないような構成とすることにより、観客等の聴取者には、他の楽器パートの演奏データに基づく演奏音と共に生演奏が聞こえる。
したがって、観客等の聴取者には、演奏者が聴き取っている模範演奏は聞こえず、あたかも演奏者が他の楽器パートと競演しているような臨場感を与えることができる。
【発明を実施するための最良の形態】
【００１８】
以下、図面を参照して、本発明に係る楽器演奏アシストシステムの実施形態を説明する。本発明の実施形態に係る楽器演奏アシストシステムは、例えばカラオケ装置の一機能として構成することができる。
【００１９】
＜第１の実施形態＞
図１及び図２は、本発明の第１の実施形態に係る楽器演奏アシストシステムに関するもので、図１は楽器演奏アシストシステムの構成を示す機能ブロック図、図２は楽器演奏アシストシステムの使用状態を説明する模式図である。
【００２０】
本発明の第１の実施形態に係る楽器演奏アシストシステムは、複数の楽器にそれぞれ対応した複数の演奏データに基づく演奏音を出音することにより楽曲の演奏を行うと共に、当該楽曲に合わせて所望の楽器演奏を行う演奏者を補助するためのシステムである。
この楽器演奏アシストシステム１０は、図１に示すように、指向性スピーカ１１、一般的なオーディオスピーカ１２、演奏データ選択手段１３、及び出音制御手段１４を備えている。また、出音制御手段１４には、複数の楽器にそれぞれ対応した複数の演奏データを格納した演奏データ格納手段２１が接続されている。
【００２１】
指向性スピーカ１１は、演奏者が演奏を行う特定の演奏エリアにのみ可聴音を到達させることができるスピーカである。この指向性スピーカ１１は、演奏者により選択された楽器パートに対応した演奏データのみを出音するようになっている。
指向性スピーカ１１の指向角度は、特に限定されるものではなく、指向性スピーカ１１を設置する部屋の収容人員、指向性スピーカ１１及びその他の機器のレイアウト等に応じて適宜変更して設定することができる。また、指向性スピーカ１１の数は特に限定されるものではなく、想定される演奏者の数に合わせて設置すればよい。
【００２２】
一般的なオーディオスピーカ１２は、広範囲に可聴音を到達させることができるスピーカであり、例えば、ツイータ、スコーカ、ウーハ等からなる一般的な音声聴取用のスピーカのことである。すなわち、一般的なオーディオスピーカ１２とは、上記指向性スピーカ１１と比較して、可聴音が到達する範囲が広くなっているスピーカのことをいう。この一般的なオーディオスピーカ１２は、複数の楽器にそれぞれ対応した複数の演奏データに基づく演奏音を出音するようになっている。
【００２３】
演奏データ選択手段１３は、演奏データ格納手段２１に格納された複数の演奏データの中から所望の楽器に対応した演奏データを選択するための手段である。演奏者が、所望の楽器に対応した演奏データを選択するには、例えばリモコン装置等を用いて、所望の楽器を指定すればよい。
出音制御手段１４は、演奏データ選択手段１３により選択された演奏データに基づく演奏音を指向性スピーカ１１から出音する制御を行うための手段である。
【００２４】
上述した演奏データ選択手段１３、出音制御手段１４、及び演奏データ格納手段２１は、コンピュータシステム及びその周辺機器により構成されるもので、コンピュータシステムの構成要素であるＣＰＵ等がアプリケーションプログラムに従って動作することにより、各手段としての機能を発揮することができる。
【００２５】
次に、図２を参照して、第１の実施形態に係る楽器演奏アシストシステムの具体的な構成例を説明する。第１の実施形態に係る楽器演奏アシストシステムは、例えば、カラオケ装置としてカラオケボックスに設置されるもので、図２に示すように、バイオリン演奏者用の演奏エリア２２とフルート演奏者用の演奏エリア２３とに向けて設置された合計２個の指向性スピーカ１１と、演奏者を含めた聴取者に向けて設置された一般的なオーディオスピーカ１２と、表示手段５２とを備えている。
【００２６】
表示手段５２は、例えばＣＲＴディスプレイ、液晶ディスプレイ、液晶プロジェクタにより構成される手段であり、演奏される楽曲に合わせた背景映像や楽譜画像等が表示画面に表示される。
２つの指向性スピーカ１１、一般的なオーディオスピーカ１２、及び表示手段５２は、装置本体５１に接続されている。また、装置本体５１には、選曲や指向性スピーカ１１から出音させる楽器パートの選択操作を行うためのリモコン装置５３が、無線通信により接続されている。
【００２７】
第１の実施形態に係る楽器演奏アシストシステムを用いて、楽曲演奏の補助を行うには、まず、リモコン装置５３を操作して、所望の楽曲を選曲すると共に、指向性スピーカ１１から出音させる楽器パートを選択する。そして、楽曲の演奏が開始すると、指向性スピーカ１１から、演奏者により選択された楽器パートに対応した演奏音のみが出音される。すなわち、図２に示す例では、フルート演奏者用の演奏エリア２３に向けて設置された指向性スピーカ１１からフルートパートの模範演奏が出音され、バイオリン演奏者用の演奏エリア２２に向けて設置された指向性スピーカ１１からバイオリンパートの模範演奏が出音される。また、一般的なオーディオスピーカ１２から、当該楽曲の全演奏データに基づく演奏音が出音される。さらに、表示手段５２では演奏される楽曲に合わせた楽譜画像等が表示される。
【００２８】
第１の実施形態に係る楽器演奏アシストシステムでは、フルートを持参してフルートの演奏を行おうとする演奏者は、全パートの演奏音を聴取することができるだけではなく、フルートパートの模範演奏を明確に聴取することができる。同様に、バイオリンを持参してバイオリンの演奏を行おうとする演奏者は、全パートの演奏音を聴取することができるだけではなく、バイオリンパートの模範演奏を明確に聴取することができる。
【００２９】
したがって、演奏者は、模範演奏に合わせて持参した楽器の練習を行うことができ、またカラオケ装置で演奏された楽曲に合わせて自らが楽器を演奏し、他の楽器パートとの競演を楽しむことができる。
【００３０】
＜第２の実施形態＞
図３は、本発明の第２の実施形態に係る楽器演奏アシストシステムの使用状態を説明する模式図である。
本発明の第２の実施形態に係る楽器演奏アシストシステムは、上述した第１の実施形態に係る楽器演奏アシストシステムの構成とほぼ同様の構成となっているが、出音制御手段における制御が異なっている点に特徴がある。
以下、第２の実施形態に係る楽器演奏システムの特徴点である出音制御手段における制御について説明を行う。
【００３１】
第２の実施形態に係る楽器演奏システムの構成要素である出音制御手段は、選択された演奏データに基づく演奏音が一般的なオーディオスピーカから出音されないように制御するようになっている。
すなわち、第２の実施形態に係る楽器演奏システムは、例えば、カラオケ装置としてカラオケボックスに設置されるもので、図３に示すように、バイオリン演奏者用の演奏エリア２２に向けて設置された指向性スピーカ１１と、演奏者を含めた聴取者エリア２４に向けて設置された一般的なオーディオスピーカ１２と、表示手段５２とを備えている。
【００３２】
指向性スピーカ１１、一般的なオーディオスピーカ１２、及び表示手段５２は、装置本体５１に接続されている。また、装置本体５１には、選曲や指向性スピーカ１１から出音させる楽器パートの選択操作を行うためのリモコン装置５３が、無線通信により接続されている。
【００３３】
第２の実施形態に係る楽器演奏アシストシステムを用いて、楽曲演奏の補助を行うには、まず、リモコン装置５３を操作して、所望の楽曲を選曲すると共に、指向性スピーカ１１から出音させる楽器パートを選択する。そして、楽曲の演奏が開始すると、指向性スピーカ１１から、演奏者により選択された楽器パートに対応した演奏音のみが出音される。すなわち、図３に示す例では、バイオリン演奏者用の演奏エリア２２に向けて設置された指向性スピーカ１１からバイオリンパートの模範演奏が出音される。また、一般的なオーディオスピーカ１２から、当該楽曲について、バイオリンパートを除いた他の演奏データに基づく演奏音が出音される。さらに、表示手段５２では演奏される楽曲に合わせた楽譜画像等が表示される。
【００３４】
第２の実施形態に係る楽器演奏アシストシステムでは、バイオリンを持参してバイオリンの演奏を行おうとする演奏者は、全パートの演奏音を聴取することができるだけではなく、バイオリンパートの模範演奏を明確に聴取することができる。
また、演奏者と同席した観衆である聴取者には、演奏者が聴き取っている模範演奏は聞こえないため、演奏者のみがバイオリンを演奏し、他の楽器パートと競演しているような臨場感ある演奏を聴取することができる。
【００３５】
＜カラオケ装置の全体構成＞
次に、図４を参照して、本発明の楽器演奏アシストシステムを適用するカラオケ装置の代表的な一例について説明する。図４は、本発明の楽器演奏アシストシステムを適用するカラオケ装置の一例を示すブロック図である。
【００３６】
本発明の楽器演奏アシストシステムを適用するカラオケ装置は、図４に示すように、バス５４を介して相互に接続された制御手段５５、ＲＯＭ５６、ＲＡＭ５７、記憶手段５８、通信手段５９、映像出力手段６０、操作制御手段６１、Ａ／Ｄコンバータ６２、音楽曲出力手段６３、送受信手段６４、採点手段６９、指向性スピーカ１１、一般的なオーディオスピーカ１２、演奏データ選択手段１３、及び出音制御手段１４を備えている。
【００３７】
また、映像出力手段６０には表示手段５２が接続されており、音楽曲出力手段６３にはミキシングアンプ６５を介して指向性スピーカ１１及び一般的なオーディオスピーカ１２が接続されている。また、Ａ／Ｄコンバータ６２には、マイク６６が接続されている。さらに、マイク６６からのアナログ入力は、ミキシングアンプ６５にも入力されるようになっている。なお、カラオケ装置を楽器演奏アシストシステムとして用いる場合には、マイク６６を使用して歌唱を行わなくてもよい。
【００３８】
制御手段５５は、カラオケ装置を総合的に制御するための手段であり、例えばＣＰＵ及びその周辺機器により構成されており、ＣＰＵ等がＲＯＭ等に記憶されたアプリケーションプログラムに従って動作することにより、制御機能を発揮することができるようになっている。
【００３９】
ＲＯＭ５６は、カラオケ装置を構成する各機器を制御するためのアプリケーションプログラムデータや数値データを記憶するための機器で、例えば半導体メモリ等で構成される。また、ＲＡＭ５７は、アプリケーションプログラムや種々のデータを一時的に読み込む一時記憶領域として機能するための機器で、例えば半導体メモリ等で構成される。
【００４０】
記憶手段５８は、例えばハードディスク記憶装置等からなり、多数のカラオケ楽曲について、ＭＩＤＩデータやＭＰ３データからなる演奏データと、歌詞画像の生成起源となる歌詞描出データと、楽譜画像の生成起源となる楽譜描出データとを含むカラオケデータが記憶され、また、背景映像として再生される所定形式の動画データが記憶される。なお、楽譜描出データを用意せずに、演奏データに基づいて楽譜画像を表示してもよい。
【００４１】
さらに、図４に示す記憶手段５８は、複数の楽器にそれぞれ対応した複数の演奏データを格納した演奏データ格納手段２１（図１参照）としても機能する。記憶手段５８に記憶されるＭＩＤＩデータやＭＰ３データは、例えば、フルート、クラリネット、サキソフォン、バイオリン、ギター、ベース、ドラム、その他のパーカッション等の複数の楽器パートに分かれた演奏データを含んでいる。そして、複数の楽器パートに分かれた演奏データが、複数のチャンネルやデータトラックにそれぞれ割り当てられて、各チャンネルや各データトラックを個別に選択可能となっている。
【００４２】
音楽曲出力手段６３は、ＭＩＤＩ音源やＭＰ３デコーダからなり、記憶手段５８に格納されたカラオケデータの中から選曲された楽曲の演奏データを再生する。そして、ミキシングアンプ６５により、再生された演奏データとマイク６６から入力される音声とをミキシングし、アンプ機能により増幅してスピーカ（例えば一般的なオーディオスピーカ１２）から出力する。
また、楽器演奏アシストシステムとして利用する場合には、ミキシングアンプ６５におけるミキシングを解除して、マイク６６から入力される音声をＡ／Ｄコンバータ６２のみに取り込むような構成とすることが好ましい。
【００４３】
映像出力手段６０は、選曲された楽曲に基づき、制御手段５５から順次転送される選択楽曲に対応する動画データを復号し、また、選曲された楽曲の歌詞描出データに基づき、伴奏音楽に同期して歌唱すべき箇所が色変わりする歌詞画像を、復号した動画映像にスーパーインポーズ処理して表示手段５２に表示出力するための手段である。また、楽器演奏アシストシステムとして利用する場合には、楽曲の演奏進行に伴って、選択された楽器に対応する楽譜画像を表示するような構成とすることが好ましい。
【００４４】
操作制御手段６１は、リモコン装置５３等からの入力データを制御するための手段である。
送受信手段６４は、リモコン装置５３との間で有線あるいは無線によりデータの授受を行うための手段である。
リモコン装置５３はＧＵＩ機能を有しており、例えば液晶ディスプレイとタッチセンサとを重畳したインタフェイスが搭載されている。カラオケ装置の利用者は、タッチセンサを用いて選曲や楽器の選択、その他のデータ入力を行うことができる。
【００４５】
通信手段５９は、通信ネットワーク６７上に配置されたセンターサーバ６８との間で所定の通信プロトコルに従って通信を行うための手段である。センターサーバ６８は、複数のカラオケ装置にネットワーク接続されており、各カラオケ装置に送信するための楽曲データを格納することを主たる機能とした装置である。
【００４６】
＜採点手段＞
採点手段６９は、例えば採点テーブルを備えており、選択された楽曲データに基づいて音楽曲出力手段６３で再生され、指向性スピーカ１１から出音される演奏データの主旋律のピッチ基準条件と、マイク６６より入力され、Ａ／Ｄコンバータ６２により変換された生音の演奏データから抽出した演奏ピッチとを、採点テーブルを参照して比較する。そして、例えば１小節等の区間毎の比較結果を得点化して平均することにより演奏採点結果を得るようになっている。
また、楽器演奏アシストシステムとして利用する場合には、一般的なオーディオマイクを使用するのではなく、高指向性マイクを使用して、演奏者が演奏する楽器の生音のみを採取できる構成とすることが好ましい。
【００４７】
なお、カラオケ装置を構成する機器や手段は上述したものに限定されず、カラオケ装置の設置場所や用途等に応じて、必要な機器や手段のみの構成としたり、適宜他の機器や手段を付加したりすることができる。
【００４８】
また、各手段をそれぞれ別個のものとして構成するのではなく、制御手段５５の機能として構成できる手段であれば、制御手段５５に当該手段の機能を含ませてもよいし、各機能を統合した手段として構成してもよい。
【００４９】
また、本発明の楽器演奏アシストシステムを適用するカラオケ装置は、通信カラオケ装置ではなく、スタンドアロン型のカラオケ装置であってもよい。さらに、楽器演奏アシストシステムをカラオケ装置の一機能として構成するのではなく、単独の装置として構成してもよい。
【図面の簡単な説明】
【００５０】
【図１】本発明の第１の実施形態に係る楽器演奏アシストシステムの構成を示す機能ブロック図。
【図２】本発明の第１の実施形態に係る楽器演奏アシストシステムの使用状態を説明する模式図。
【図３】本発明の第２の実施形態に係る楽器演奏アシストシステムの使用状態を説明する模式図。
【図４】本発明の楽器演奏アシストシステムを適用するカラオケ装置の一例を示すブロック図。
【符号の説明】
【００５１】
１０  楽器演奏アシストシステム
１１  指向性スピーカ
１２  一般的なオーディオスピーカ
１３  演奏データ選択手段
１４  出音制御手段
２１  演奏データ格納手段
２２  バイオリン演奏者用の演奏エリア
２３  フルート演奏者用の演奏エリア
２４  聴取者エリア
５１  装置本体
５２  表示手段
５３  リモコン装置
５４  バス
５５  制御手段
５６  ＲＯＭ
５７  ＲＡＭ
５８  記憶手段
５９  通信手段
６０  映像出力手段
６１  操作制御手段
６２  Ａ／Ｄコンバータ
６３  音楽曲出力手段
６４  送受信手段
６５  ミキシングアンプ
６６  マイク
６７  通信ネットワーク
６８  センターサーバ
６９  採点手段
【図１】
2008187549.tif 000003
【図２】
2008187549.tif 000004
【図３】
2008187549.tif 000005
【図４】
2008187549.tif 000006